(57)【要約】【課題】  作業場付近、例えば卓上に配設されても、場所を取らず、且つ月に跨るような長期間の作業の記録を一目で視認可能なカレンダの提供。【解決手段】  日にちを表示する表示部と、該表示部を支持する支持部材からなり、前記表示部は３つの領域からなり、該表示部中央に配される第１領域には日にちを表す数字と該日にちが属する月の七曜表が記載され、前記第１領域の左方若しくは上方に配される第２領域には、前記第１領域に記載された日にちの１つ前の日にちを表す数字及び第１領域に記載された七曜表の１つ前の月が記載され、前記第１領域の右方若しくは下方に配される第３領域には、前記第１領域に記載された日にちの１つ後の日にちを表す数字及び第１領域に記載された七曜表の１つ後の月の七曜表が記載されることを特徴とするカレンダである。【選択図】  図１
2006150621.tif 000002
【特許請求の範囲】
【請求項１】
日にちを表示する表示部と、
該表示部を支持する支持部材からなり、
前記表示部は３つの領域からなり、
該表示部中央に配される第１領域には日にちを表す数字と該日にちが属する月の七曜表が記載され、
前記第１領域の左方若しくは上方に配される第２領域には、前記第１領域に記載された日にちの１つ前の日にちを表す数字及び第１領域に記載された七曜表の１つ前の月が記載され、
前記第１領域の右方若しくは下方に配される第３領域には、前記第１領域に記載された日にちの１つ後の日にちを表す数字及び第１領域に記載された七曜表の１つ後の月の七曜表が記載されることを特徴とするカレンダ。
【請求項２】
前記表示部が複数のシートを重ね合わせて形成され、
一のシートの下に重ねられたシートの第２領域には、前記一のシートの第３領域の翌日を表す数字が記載され、
前記第１領域と前記第２領域との間及び前記第１領域と第３領域との間にミシン目が設けられていることを特徴とする請求項１記載のカレンダ。
【請求項３】
前記表示部が複数のシートを重ね合わせて形成され、
一のシートの下に重ねられたシートの第２領域には、前記一のシートの第３領域の翌日を表す数字が記載され、
前記第１領域と前記第２領域との間及び前記第１領域と第３領域との間が分断されていることを特徴とする請求項１記載のカレンダ。
【請求項４】
前記支持部が表示部上縁に配設され、
前記各領域が上下に分けられ、
上側の領域に七曜表が記載され、下側の領域に日にちを表す数字が記載され、
上下の領域の間にミシン目が施されることを特徴とする請求項２又は３記載のカレンダ。
【請求項５】
前記表示部がデジタルデバイスに組み込まれたモニタであり、
前記支持部が前記モニタを支持する筐体であることを特徴とする請求項１記載のカレンダ。
【請求項６】
前記表示部に旧暦が記載されていることを特徴とする請求項１乃至５いずれかに記載のカレンダ。
【請求項７】
前記各領域に表される日にちに対応する誕生花或いは誕生石が記載されることを特徴とする請求項１乃至６いずれかに記載のカレンダ。
【請求項８】
前記誕生花が表す花言葉が更に記載されることを特徴とする請求項７記載のカレンダ。
【請求項９】
前記各領域に表される日にちに対応する過去の出来事が記載されることを特徴とする請求項１乃至８いずれかに記載のカレンダ。
【請求項１０】
前記各領域に表される日にちに対応する行事が記載されることを特徴とする請求項１乃至９いずれかに記載のカレンダ。
【請求項１１】
前記各領域にメモ欄が設けられることを特徴とする請求項１乃至１０いずれかに記載のカレンダ。
【請求項１２】
前記シートの裏面に罫線が施されていることを特徴とする請求項２乃至１０いずれかに記載のカレンダ。
【発明の詳細な説明】
【技術分野】
【０００１】
本発明は、卓上に載置され、日付及び月を使用者に表示するカレンダに関し、特にオフィスワークにおいて必要とされる日程管理に好適に使用可能なカレンダに関する。
【背景技術】
【０００２】
従来において、様々な形態のカレンダが市販されているが、その多くは２つの形態に大別できる。１つは特許文献１に開示されるような吊下式カレンダであり、他の１つは特許文献２に開示されるような日捲り式カレンダである。
吊下式カレンダは、例えばオフィス室内壁面に鋲等の固定手段を用いてその上端を固定され、壁面上に吊下げられる。吊下式カレンダは、比較的スペースに余裕のある壁面上に配設されるので、広い紙面を用いて形成され、遠くからも七曜表が視認可能とされるのが一般的である。また、オフィス内の通行の妨げないように、薄く形成される。
一方で日捲り式カレンダは、日を記したシートを束にして、毎日そのシートを捲る或いは切り離すことで、該当日を表示するものである。毎日捲る或いは切り離す作業を要するため、このような日捲り式カレンダは作業場所の近く、例えば卓上或いは卓上付近の壁に配設されることが多い。日捲り式カレンダの利点は、１日の表示面積が比較的大きく取ることができ、日毎のスケジュールを直接シートに記入できることである。
【０００３】
作業場付近で用いられるカレンダには、作業性と機能性が要求される。例えば、作業場付近に置かれるカレンダの大きさが大きい場合には、カレンダが作業場スペースを占領してしまうので、その作業性を著しく低減させることになる。この点で従来からの吊下式カレンダは不都合なものである。
【０００４】
一方で特許文献２に開示されるカレンダは、日毎のスケジュールを直接シートに書き込み可能であるが、例えば、工事スケジュールや納期管理といった月に跨って管理を要するような事項を書き込むのには不都合である。即ち、日捲り式カレンダを構成する１枚のシートに作業記録を書き込んだとしても、翌日或いは数日後にはその記録が書き込まれたシートは表示されなくなり、該記録の表示状態を保とうとすれば、新たに表示されたシートにその記録を再度書き込む必要が生ずるものとなる。そのような煩雑な作業は、記録の喪失といった不都合を生じさせるものとなる。
【０００５】
また、月に跨って管理を要する事項、例えば工事スケジュールや納期管理といったものは、特定の日の曜日を確認する必要がある場合がしばしば生ずる。このようなとき、従来型の日捲り式カレンダにおいては、１月前或いは後の七曜表が表示されていないので、１月前或いは後の月に属する日の曜日を確認するのに手間がかかり、更には既に過ぎた日の曜日を確認することはできなかった。
【０００６】
【特許文献１】特開平９−５２４７０号公報
【特許文献２】実開昭６１−１８８８６９号公報
【発明の開示】
【発明が解決しようとする課題】
【０００７】
本発明は、上記従来の実情に鑑みてなされたものであって、作業場付近、例えば卓上に配設されても、場所を取らず、且つ月に跨るような長期間の作業の記録を一目で視認可能なカレンダを提供することを目的とする。
【課題を解決するための手段】
【０００８】
請求項１記載の発明は、日にちを表示する表示部と、該表示部を支持する支持部材からなり、前記表示部は３つの領域からなり、該表示部中央に配される第１領域には日にちを表す数字と該日にちが属する月の七曜表が記載され、前記第１領域の左方若しくは上方に配される第２領域には、前記第１領域に記載された日にちの１つ前の日にちを表す数字及び第１領域に記載された七曜表の１つ前の月が記載され、前記第１領域の右方若しくは下方に配される第３領域には、前記第１領域に記載された日にちの１つ後の日にちを表す数字及び第１領域に記載された七曜表の１つ後の月の七曜表が記載されることを特徴とするカレンダである。
【０００９】
請求項２記載の発明は、前記表示部が複数のシートを重ね合わせて形成され、一のシートの下に重ねられたシートの第２領域には、前記一のシートの第３領域の翌日を表す数字が記載され、前記第１領域と前記第２領域との間及び前記第１領域と第３領域との間にミシン目が設けられていることを特徴とする請求項１記載のカレンダである。
請求項３記載の発明は、前記表示部が複数のシートを重ね合わせて形成され、一のシートの下に重ねられたシートの第２領域には、前記一のシートの第３領域の翌日を表す数字が記載され、前記第１領域と前記第２領域との間及び前記第１領域と第３領域との間が分断されていることを特徴とする請求項１記載のカレンダである。
請求項４記載の発明は、前記支持部が表示部上縁に配設され、前記各領域が上下に分けられ、上側の領域に七曜表が記載され、下側の領域に日にちを表す数字が記載され、上下の領域の間にミシン目が施されることを特徴とする請求項２又は３記載のカレンダである。
【００１０】
請求項５記載の発明は、前記表示部がデジタルデバイスに組み込まれたモニタであり、
前記支持部が前記モニタを支持する筐体であることを特徴とする請求項１記載のカレンダである。
請求項６記載の発明は、前記表示部に旧暦が記載されていることを特徴とする請求項１乃至５いずれかに記載のカレンダである。
請求項７記載の発明は、前記各領域に表される日にちに対応する誕生花或いは誕生石が記載されることを特徴とする請求項１乃至６いずれかに記載のカレンダである。
請求項８記載の発明は、前記誕生花が表す花言葉が更に記載されることを特徴とする請求項７記載のカレンダである。
請求項９記載の発明は、前記各領域に表される日にちに対応する過去の出来事が記載されることを特徴とする請求項１乃至８いずれかに記載のカレンダである。
請求項１０記載の発明は、前記各領域に表される日にちに対応する行事が記載されることを特徴とする請求項１乃至９いずれかに記載のカレンダである。
請求項１１記載の発明は、前記各領域にメモ欄が設けられることを特徴とする請求項１乃至１０いずれかに記載のカレンダである。
請求項１２記載の発明は、前記シートの裏面に罫線が施されていることを特徴とする請求項２乃至１０いずれかに記載のカレンダである。
【発明の効果】
【００１１】
請求項１記載の発明によれば、表示部中央の第１領域が日にちを表す数字及び該日にちの属する月の七曜表を備え、表示部左右若しくは上下に配される第２及び第３領域がその前後の日並びに前後の月の七曜表を備えるので、先月から引き続く作業及び後月へ続く作業の記録が容易であり、該記録を一目で確認することが可能となる。また、このような機能を発揮するための最小限の領域のみを備えるので、広いスペースを要さず、作業の邪魔になることもない。
請求項２又は３記載の発明によれば、日捲り式に表示される日にちを更新可能となる。よって机の上等の作業スペースにカレンダを載置可能であり、電話等を用いて作業スケジュールの打ち合わせなどをしている場合等に、カレンダに簡便にスケジュールを書き込むことができる。また日捲り式カレンダの形態で前後１ヶ月をあわせた３ヶ月の日付並びに曜日を一目で確認可能である。また既に過ぎた特定の日の曜日を容易に確認可能である。
請求項４記載の発明によれば、日にちを表示する領域と七曜表を表示する領域とが分離可能であるので、七曜表に書き込んだ記録を更新する必要があるとき以外は、日にちを表示する領域を切り離し、記録が書き込まれた七曜表を表示面に残すことが可能となる。
【００１２】
請求項５記載の発明によれば、オフィスでの作業等で用いられるパーソナルコンピュータなどのデジタルデバイスにカレンダが表示されるので、カレンダのための特別なスペースを設ける必要がなく、より省スペース化を実現できる。更には、カレンダを用いた作業記録・スケジュールの更新も容易となる。
請求項６乃至１０記載の発明によれば、旧暦、誕生花・石、誕生花に係る花言葉、過去の出来事及び行事予定などの情報を得ることができる。
請求項１１記載の発明によれば、各領域に設けられたメモ欄に各領域が示す日にちのスケジュール等を記載可能となる。
請求項１２記載の発明によれば、シート裏面をメモ用紙として利用可能となる。
【発明を実施するための最良の形態】
【００１３】
以下、本発明に係るカレンダについて、図を参照しつつ説明する。
図１は本発明に係るカレンダの第１の実施形態を示す斜視図である。
本発明のカレンダ（１）は主に表示部（２）と表示部（２）を支持する支持部材（３）からなる。
第１の実施形態において、表示部（２）は複数枚のシートを重ね合わせて構成される。各シートは３つの領域に分けられ、表示部（２）中央に位置する領域は第１領域（２１）、第１領域（２１）左方に位置する領域は第２領域（２２）及び第１領域（２１）右方に位置する領域は第３領域（２３）とされる。
各領域（２１，２２，２３）には、少なくとも日にちを表す数字（２１１，２２１，２３１）及び七曜表（２１２，２２２，２３２）が記載される。尚、図１に示す例においては、各日にちを表す数字（２１１，２２１，２３１）の右脇には当該日の曜日が記載されている。また各日にちを表す数字の左上側には当該日の属する月が記載されている。
第２領域（２２）に記載される日にちを表す数字（２２１）は、第１領域（２１）に記載される日にちの１日前の日を表す数字である。また第３領域（２３）に記載される日にちを表す数字（２３１）は、第１領域（２１）に記載される日にちの１日後の日を表す数字である。
第２領域（２２）に記載される七曜表（２２２）は、第１領域（２１）に記載される七曜表（２１２）の１月前の七曜表であり、第３領域（２３）に記載される七曜表（２３２）は、第１領域（２１）に記載される七曜表（２１２）の１月後の七曜表である。
【００１４】
より具体的な記載の説明をするために、図２に上述のような記載を備える２枚のシートを表す。図２上側に示すシートは２００５年１月３日から２００５年１月５日までの日にちを表すシートであり、図２下側に示すシートは２００５年１月６日から２００５年１月８日までの日にちを表すシートである。
図２上側に示すシートにおいて、第１領域（２１）に記載される日にちは２００５年１月４日である。第２領域（２２）に記載される日にちを表す数字（２２１）は第１領域（２１）の日にちの１前日の２００５年１月３日を表す数字「３」が記載されている。また、第３領域（２３）に記載される日にちを表す数字（２３１）は第１領域（２１）の日にちの１後日の２００５年１月５日を表す数字「５」が記載されている。
図２上側に示すシートにおいて、第１領域（２１）に記載される七曜表（２１２）は第１領域（２１）に記載される日にちの属する月である２００５年１月の七曜表（２１２）が記載されている。第２領域（２２）に記載される七曜表（２２２）は、第１領域（２１）に記載される七曜表（２１２）の１月前の月の２００４年１２月の七曜表（２２２）が記載されている。第３領域（２３）に記載される七曜表（２３２）は、第１領域（２１）に記載される七曜表（２１２）の１月後の月の２００５年２月の七曜表（２３２）が記載されている。
【００１５】
図２下側に示されるシートは、表示部（２）を構成するシートが重ね合わせられたときに、図２上側に示されるシートの下側に配される。図２下側に示されるシートの第２領域（２２）の日にちを表す数字（２２１）は、図２上側に示されるシートの第３領域（２３）に記載される日にちの翌日、２００５年１月６日を表す数字「６」が記載されている。第２領域（２２）右方に配される第１領域（２１）及び第３領域（２３）には、その１日後及び２日後を表す数字「７」及び「８」がそれぞれ記載されている。
図２上側に示されるシートと同様に、シート中央に配される第１領域（２１）の七曜表（２１２）は、第１領域（２１）に記載される日にち２００５年１月７日の属する２００５年１月を表す七曜表（２１２）が記載され、第２領域（２２）の七曜表（２２２）はその１月前の２００４年１２月、第３領域（２３）の七曜表（２３２）はその１月後の２００５年２月の七曜表である。
このようにして、１年間全ての日が複数のシートに記載されている。更には、当該１年間前後の日にちを含んでシートに記載されていてもよい。
また各シートには、他の情報が記載されてもよい。例えば、ことわざ、大吉・先勝・友引・先負・仏滅・赤口等の六輝、旧暦、花言葉、過去の出来事或いは各地で行われる祭事等の行事等の情報である。更には、各日にちに対応する誕生花や誕生石が記載されていてもよい。誕生花が記載される場合には、記載された誕生花が表す花言葉を付記することが好ましい。
更には、各シートにメモ欄が設けられていることが好ましい。メモ欄を設けることにより、シート内の所定位置にシートが表す日にちのスケジュール等を書き込まれるので、シート内の情報が整然とされ、該情報を確認しやすくなる。尚、メモ欄は、複数の罫線を並列させて表示されることが好ましい。
加えて、シート裏面に複数の罫線を並列させてもよい。このようにすると、使用され、カレンダから切り離されたシートの裏面をメモ用紙代わりに使用可能となる。
【００１６】
上述のような複数のシートで構成される表示部（２）を支持する支持部材（３）は任意の構成を採用可能であるが、図１に示される例においては、略矩形平面を底面とする三角柱状部材（３１）と該三角柱状部材（３１）上縁に沿って配設される複数の輪部（３２）からなる。
表示部（２）上縁に沿って輪部（３２）に対応する複数の矩形穴が形成され、輪部（３２）が該矩形穴に通されることで、表示部（２）は支持部材（３）に支持されるものとなる。表示部（２）は三角柱状部材（３１）斜面上に載置され、必要に応じて背面に向かって表示部（２）を構成するシートが捲られる。或いは輪部（３２）から切り離される。
【００１７】
図１に示す実施形態において、各領域（２１，２２，２３）の境界を点線で表しているが、この境界をミシン目で構成してもよい。境界にミシン目を形成することで、所望に応じてミシン目を破り、シートを領域毎に分割可能となる。
或いは、シートを境界で予め分断してもよい。
ミシン目を設けることや領域毎に分断することによって、前日を表すシート部分を除去し、常に当日以降の日にちを所望に応じて表示可能となる。また、このようにミシン目を設け、或いは領域を分断し、不必要となったシートを捲り、或いは破り取ったとしても、新たに表示されるシートには、捲られ或いは破り取られたシートと同じ七曜表が記載されているので、常に、当月を中心とした前後１月の七曜表が表示され、３ヶ月連続の七曜表が表示されることとなる。図２を用いて具体的に述べると、２００５年１月４日において、２００５年１月３日のシートは最早表示する必要がない。したがって、２００５年１月３日のシート部分を破り取ることとする。２００５年１月３日のシートの下には、２００５年１月６日のシートが配され、該シートが表示されることとなる。２００５年１月６日のシートには２００５年１月３日のシートと同様に２００４年１２月の七曜表が記載されている。したがって、２００５年１月３日のシートが破り取られた後においても、２００４年１２月、２００５年１月及び２００５年２月の３ヶ月連続した七曜表が表示部（２）に現れることとなる。
尚、図１に示す例において、第２領域（２２）及び第３領域（２３）を第１領域（２１）の左右に配設したが、上下に配設してもよい。この場合には、上から第２領域（２２）、第１領域（２１）及び第３領域（２３）の順番で並ぶ。支持部材（３）は、七曜表（２１２，２２２，２３２）が記載される側の表示部（２）の縁を支持するようにすることが好ましい。
【００１８】
図３に第１の実施形態に係るカレンダの使用例を示す。上述の如く、本発明のカレンダ（１）に３つの連続する日にちと３つの連続する月が表示される。したがって、月を跨ぐような作業記録或いは管理メモ等の用に好適に資することが出来る。
図３に示す例において、３ヶ月に跨る作業予定の記録が示されている。２００４年１２月２１日に工事に用いられる部品が発注されている。そして納品予定日が２００５年１月１２日であり、工事開始予定日が２００５年１月１３日であり、工事終了予定日が２００５年２月２日である。このように３ヶ月にわたる作業記録或いは予定を一目で認識可能となる。
【００１９】
尚、七曜表（２１２，２２２，２３２）を支持部材（３）に支持される側、即ち図１乃至図３に示す例においては上側に配設し、日にちを表す数字（２１１，２２１，２３１）を下側に配設し、七曜表（２１２，２２２，２３２）と日にちを表す数字（２１１，２２１，２３１）の領域とを分けるミシン目を形成してもよい。
このようにミシン目を設けることで、既に記録された七曜表（２１２，２２２，２３２）をカレンダ（１）から分離することなしに、日にちを表す数字（２１１，２２１，２３１）が記載された領域のみをカレンダ（１）から切り離すことが可能である。これにより、七曜表（２１２，２２２，２３２）の記録を書き換えることが必要となったときのみ七曜表（２１２，２２２，２３２）を切り離せばよいものとなる。
【００２０】
尚、第１の実施形態の如く、表示部（２）を複数のシートで構成する場合には、シートの裏面に罫線を引き、使用済みとなったシートをカレンダ（１）から切り離した後、メモ用紙としての用に供するようにしてもよい。
或いは、表面と同じ日付を裏面に記し、所望の追加情報を書き込み可能としてもよい。このようにすると、表面に記載しきれなかった情報を裏面に記載し補足することが可能となる。
【００２１】
図４は、本発明に係るカレンダ（１）の第２の実施形態である。
本発明に係るカレンダ（１）がパソコン等のデジタルデバイスに組み込まれてもよい。この場合には、支持部材（３）はデジタルデバイスのモニタを支持する筐体となる。また、デジタルデバイスのモニタが表示部（２）となる。
第２の実施形態のカレンダ（１）は、デジタルデバイスのモニタに表示され、第１の実施形態と同様にモニタ上の表示は３つの領域に分けられる。モニタ中央に現れる領域は第１領域（２１）であり、第１領域（２１）左方に現れる領域は第２領域（２２）であり、第１領域（２１）右方に現れる領域が第３領域（２３）である。
【００２２】
第１の実施形態と同様に、各領域（２１，２２，２３）には、少なくとも日にちを表す数字（２１１，２２１，２３１）及び七曜表（２１２，２２２，２３２）が記載される。
第２領域（２２）に記載される日にちを表す数字（２２１）は、第１領域（２１）に記載される日にちの１日前の日を表す数字である。また第３領域（２３）に記載される日にちを表す数字（２３１）は、第１領域（２１）に記載される日にちの１日後の日を表す数字である。
第２領域（２２）に記載される七曜表（２２２）は、第１領域（２１）に記載される七曜表（２１２）の１月前の七曜表であり、第３領域（２３）に記載される七曜表（２３２）は、第１領域（２１）に記載される七曜表（２１２）の１月後の七曜表である。
第２の実施形態のカレンダ（１）において、第１領域（２１）に現れる日にちを表す数字（２１１）及び七曜表（２１２）は、デジタルデバイスに格納されるとともに自動的に更新される時間データと連動し、表示されることが好ましい。即ち、デジタルデバイス内の時間データが、例えば、２００５年１月７日であれば、第１領域（２１）に現れる日にちを表す数字（２１１）が自動的に「７」を表示し、七曜表（２１２）が２００５年１月の七曜表を表示するなどである。
【００２３】
このようにデジタルデバイスのモニタ上で、当該日及びその前後の日の連続する３日の日にちが表示されるとともに、当該日の属する月並びにその前後月の連続する月が表示されるので、前日から引き続き行われる作業及び翌日に繰り越す作業を一目で視認できるとともに、月を跨って進行する作業の流れをも一目で視認可能となる。
【００２４】
第２の実施形態において、図４に示す如く、七曜表（２１２，２２２，２３２）上の日にちをクリックすることにより、メモ欄（２４）を表示させることによって、作業予定或いは作業記録を記録することが可能となる。例えば、２００５年１月の七曜表（２１２）上の１月１２日の欄をクリックすることによって、メモ欄（２４）を画面に表示させ、「納品予定」や「受領書発行」等の作業メモを記録可能である。また、作業予定が記録された日にちを太字にして表示させることにより、作業予定が記録されていることを視認可能としてもよい。これにより、予定されている作業項目等を作業者に確実に認識させることができる。
【産業上の利用可能性】
【００２５】
本発明は、作業管理・記録を容易に行うことの出来るカレンダに好適に適用される。
【図面の簡単な説明】
【００２６】
【図１】本発明に係るカレンダの外観を示す斜視図である。
【図２】本発明に係るカレンダの表示部の詳細図である。
【図３】本発明に係るカレンダの使用例を示す図である。
【図４】本発明のカレンダの第２の実施形態を示す図である。
【符号の説明】
【００２７】
１・・・・・・・・・・・・・・カレンダ
２・・・・・・・・・・・・・・表示部
２１・・・・・・・・・・・・・第１領域
２２・・・・・・・・・・・・・第２領域
２３・・・・・・・・・・・・・第３領域
２１１，２２１，２３１・・・・日にちを表す数字
２１２，２２２，２３２・・・・七曜表
【図１】
2006150621.tif 000003
【図２】
2006150621.tif 000004
【図３】
2006150621.tif 000005
【図４】
2006150621.tif 000006